(57)【特許請求の範囲】
【請求項１】
複数の同軸ケーブルの一端部および他端部が成端処理され、Ｕ字状に屈曲配列されている同軸ケーブルハーネスであって、
前記同軸ケーブルの前記一端部と前記他端部との間の中間部が、非結束で且つ外側ケーブルが内側ケーブルより長くなるように非等長で平面状に配列され、
一端部側の成端処理部には一端部側コネクタが接続され、他端部側の成端処理部には他端部側コネクタが接続され、
前記一端部側コネクタは横向き型であって正面側が嵌合口になっており、前記他端部側コネクタは横向き型であって背面側が嵌合口になっていることを特徴とする同軸ケーブルハーネス。
【請求項２】
請求項１に記載の同軸ケーブルハーネスを備えた同軸ケーブルハーネスの接続構造であって、
前記一端部が第１の筐体側に接続されているとともに、前記他端部が該第１の筐体に対してスライド移動自在に連結された第２の筐体側に接続されていることを特徴とする同軸ケーブルハーネスの接続構造。
【発明の詳細な説明】
【技術分野】
【０００１】
本発明は、互いに相対移動できるように連結された二つの基板を有し、同軸ケーブルを用いてこれら基板を電気的に接続するようにしたスライド式の携帯電話機等の電気接続に用いられる同軸ケーブルハーネス及びその接続構造に関する。
【背景技術】
【０００２】
スライド式の携帯電話機においては、小型化の要求に応えるために、互いにスライド可能に連結された二つの筐体から構成され、使用状況に応じて二つの筐体をスライドさせて伸張させたり、コンパクトに重ねた状態とすることを可能としている。この二つの筐体には各種回路や素子を配列した基板が設けられており、この基板の位置関係は各筐体の動作に従って変わる。基板間の電気接続には、屈曲可能なフレキシブルプリント基板（ＦＰＣ）が一般的に用いられている（例えば、特許文献１参照）。
【０００３】
図７に示したように、下側の基板１００に設けられたコネクタ１０１と、上側の回路モジュール１０２に設けられたコネクタ１０３とが、ＦＰＣ１０４で接続されている。このＦＰＣ１０４の一方面側には、グランド導体の確保とＥＭＩ対策を考慮して略全面にグランド導体層が形成されている。
【特許文献１】特開２００４−８８０２０号公報
【発明の開示】
【発明が解決しようとする課題】
【０００４】
しかしながら、グランド導体層を有するＦＰＣの場合、基板のスライドに応じて、屈曲する部分で割れが生じて断線する虞があった。そのため、屈曲部ではグランド導体を部分的に削除して、その裏面側にグランド導体を信号線と対峙しないように配置している。しかしながら、グランド導体層が形成されたＦＰＣを上下の基板間に配置して屈曲させるには基板間にある程度の高さの隙間が必要である。したがって、機器の薄型化を実現するのが難しかった。
【０００５】
本発明の目的は、上述した事情に鑑みてなされたものであり、搭載される機器の薄型化を図ることができる同軸ケーブルハーネス及びその接続構造を提供することである。
【課題を解決するための手段】
【０００６】
前述した目的を達成するために、本発明に係る同軸ケーブルハーネスは、複数の同軸ケーブルの一端部および他端部が成端処理され、Ｕ字状に屈曲配列されている同軸ケーブルハーネスであって、前記同軸ケーブルの前記一端部と前記他端部との間の中間部が、非結束で、且つ外側ケーブルが内側ケーブルより長くなるように非等長で平面状に配列されていることを特徴としている。
【０００７】
このように構成された同軸ケーブルハーネスによれば、同軸ケーブルの一端部と他端部との間の中間部が、非結束で且つ外側ケーブルが内側ケーブルより長くなるように非等長で平面状に配列されている。これにより、例えば、相対的にスライドする一対の基板間をこの同軸ケーブルハーネスで接続した場合、スライドに伴う同軸ケーブルの変位が平面内で行われるので、基板間の隙間を薄くでき、搭載される機器の薄型化を図ることができる。また、複数の同軸ケーブルを、例えば、２段に配列して用いた場合、Ｕ字状に屈曲配列され同軸ケーブルハーネスの横幅を小さくできるので、機器全体の小型化を図ることができる。なお、成端処理とは、同軸ケーブルの一端部及び他端部をコネクタ接続するか、基板に直付けできるように各同軸ケーブルのピッチを固定して同軸ケーブルの中心導体を露出することを云う。
【０００８】
本発明に係る同軸ケーブルハーネスは、前記同軸ケーブルの前記一端部および前記他端部が、二股又は横向きの平面状に配列されていることが好ましい。
【０００９】
本発明に係る同軸ケーブルハーネスの接続構造は、前記一端部が第１の筐体側に接続されているとともに、前記他端部が該第１の筐体に対してスライド移動自在に連結された第２の筐体側に接続されていることを特徴としている。  
【００１０】
このように構成された同軸ケーブルハーネスの接続構造によれば、上記同軸ケーブルハーネスの構造により両基板間の隙間が薄いので、機器の薄型化を図ることができる。
【発明の効果】
【００１１】
本発明に係る同軸ケーブルハーネス及びその接続構造によれば、搭載される機器の薄型化を図ることができる同軸ケーブルハーネス及びその接続構造を提供できる。
【発明を実施するための最良の形態】
【００１２】
以下、図を参照して本発明の好適な実施形態を説明する。
【００１３】
図１乃至図６は本発明に係る同軸ケーブルハーネスの一実施形態を示すもので、図１は本発明の一実施形態に係る同軸ケーブルハーネスを適用した携帯電話機の一部破断平面図、図２は図１の一部破断右側面図、図３は図１の第１筐体の右側面図、図４は図３の第１筐体の背面図、図５は図１の同軸ケーブルハーネスの動作を説明する一部破断平面図、図６は図５の一部破断右側面図である。
【００１４】
図１および図２に示すように、同軸ケーブルハーネス１０は、複数の同軸ケーブル１１と、同軸ケーブル１１の一端部側で成端処理された一端部側成端処理部１２と、同軸ケーブル１１の他端部側で成端処理された他端部側成端処理部１３と、を備えている。この同軸ケーブルハーネス１０は、第１の筐体２と、この第１の筐体２にスライド自在に連結された第２の筐体３と、からなる携帯電話機１に適用されている。
【００１５】
同軸ケーブル１１は、例えばＡＷＧ（Ａｍｅｒｉｃａｎ  Ｗｉｒｅ  Ｇａｕｇｅ）の規格によるＡＷＧ４４等の屈曲自在な極細同軸ケーブルを平面状に屈曲整列させている。この同軸ケーブル１１は、一端部側成端処理部１２と他端部側成端処理部１３との間の中間部１４において、その内径部１５の長さが短く、外径部１６の長さが長い非等長に配列されており、バンドルテープ等で結束されずにＵ字状に屈曲自在に配列されている。
【００１６】
一端部側成端処理部１２は、一端部側コネクタ１７が接続されており、この一端部側コネクタ１７は、横向き型であって正面側が嵌合口１８になっている。また、他端部側成端処理部１３は、他端部側コネクタ１９が接続されており、この他端部側コネクタ１９は、横向き型であって背面側が嵌合口２０になっている。ここで云う横向きとは、コネクタの長さ方向の向きが同軸ケーブルの長さ方向（Ｕ字の直線部分に沿う方向）と平行な場合、すなわち同軸ケーブル端部がコネクタとの接続部分で９０度曲げられている場合を云う。
【００１７】
なお、一端部側コネクタ１７及び他端部側コネクタ１９は、上記に代えて、複数の同軸ケーブル１１の端部を二つの束に分けた二股形状に結束して、それぞれをコネクタに接続しても良い。この場合、２個の別体のコネクタに分けて接続する場合と、２段構成の１個のコネクタに２段重ねに分けて接続する場合がある。また、一端部側成端処理部１２及び他端部側成端処理部１３は、コネクタを接続せずに、不図示のグランドバーに各同軸ケーブルの外部導体を接続したものであっても良い。  
【００１８】
携帯電話機１は、第１の筐体２の表面に、ディスプレイ４と不図示の受話用スピーカとが設けられ、第２の筐体３の表面に、キーボード５と不図示の送話用マイクとが設けられ、第２の筐体３上に第１の筐体２が重ねられた状態で携帯される。
【００１９】
第１の筐体２と第２の筐体３との間には、不図示のスライド機構が組み付けられているため、第２の筐体３に対して第１の筐体２を長さ方向に押圧することで、第２の筐体３のキーボード５が露出する使用状態位置（図５参照）まで、例えば４５ｍｍ程度第１の筐体２がスライド移動されてロックされる。
【００２０】
第１の筐体２の裏面には、回路基板６が設けられており、この回路基板６上に設けられている不図示の相手側コネクタに一端部側コネクタ１７の嵌合口１８が嵌合接続される。一端部側コネクタ１７は、図１中の左寄りに配置されている。
【００２１】
第２の筐体３の表面には、回路基板７が設けられており、この回路基板７上に設けられている不図示の相手側コネクタに他端部側コネクタ１９の嵌合口２０が嵌合接続される。他端部側コネクタ１９は、図１中の右寄りに配置されている。
【００２２】
図３および図４に示すように、第１の筐体２の裏面の中央部には、回路基板６側から上端部に向けて凹状をなすハーネス収容部８が形成されており、このハーネス収容部８内に同軸ケーブルハーネス１０の中間部１４が図中上下方向に移動自在に収容されている。
【００２３】
このとき、ハーネス収容部８に収容される同軸ケーブル１１の中間部１４は、Ｕ字状に屈曲された状態で平面状に整列されているため、ハーネス収容部８の深さ寸法内に十分の余裕をもって収容されている。そのため、例えば、複数の３個の同軸ケーブルハーネス１０を３段に積層して用いたとしても、中間部１４がハーネス収容部８から飛び出すようなことはない。
【００２４】
同軸ケーブルハーネス１０の製造方法は、例えば、特開２００５−２３５６９０号公報に開示されている製造方法を用いる。
【００２５】
上記の製造方法では、平坦な整列面を有する矩形状のブロックで形成された整列治具が用いられ、整列面に複数本の長さの異なる電線収納溝が形成されている。この電線収納溝内に電線を押込んで整列させ、整列状態が維持された状態で電線を整列治具から取り出す。これにより、同軸ケーブル１１の中間部１４において、その内側の内径部１５の長さが短く、外径部１６の長さが長い非等長に形成された同軸ケーブルハーネス１０を製造することができる。
【００２６】
次に、図５および図６を参照して、同軸ケーブルハーネス１０の作用について説明する。
図５および図６に示すように、携帯電話機１において、第２の筐体３に対して第１の筐体２が長さ方向に押圧されることで、第２の筐体３のキーボード５が露出する使用状態に向けて第１の筐体２がスライド移動する。この際、同軸ケーブルハーネス１０の一端部側コネクタ１７は、他端部側コネクタ１９に対して図５において上方に移動していく。
【００２７】
そのとき、非等長の同軸ケーブル１１は、中間部１４の屈曲部分がハーネス収容部８内で一端部側コネクタ１７に近づく。
【００２８】
第１の筐体２が使用状態の所定位置までスライド移動したところで、第１の筐体２は第２の筐体３に対してロックされる。この状態が、中間部１４の屈曲部分が一端部側コネクタ１７に最も近づいた位置にある状態である。そして、中間部１４がハーネス収容部８内で平面状に整列された状態で保持される。
【００２９】
また、逆に、第１の筐体２が第２の筐体３に重なる非使用状態の所定位置までスライド移動して戻る際に、一端部側コネクタ１７が中間部１４の屈曲部分から離れるように動く。そして、中間部１４は、一端部側コネクタ１７と他端部側コネクタ１９との略中間位置で、平面状に整列された状態でハーネス収容部８内に保持される。
【００３０】
なお、本発明に係る同軸ケーブルハーネスは、前述した各実施形態に限定されるものではなく、適宜、変形や改良等が可能である。例えば、同軸ケーブルは、ＡＷＧ４４に代えて、ＡＷＧ４６型等の極細同軸ケーブルを用いても良い。
【産業上の利用可能性】
【００３１】
以上のように本発明に係る同軸ケーブルハーネス及びその接続構造は、複数本の同軸ケーブルを用いて、スライド移動できるように連結された二つの基板間を電気的に接続するようにしたスライド型の携帯電話などに利用可能である。
【図面の簡単な説明】
【００３２】
【図１】本発明の一実施形態に係る同軸ケーブルハーネスを適用した携帯電話機の一部破断平面図である。
【図２】図１の一部破断右側面図である。
【図３】図１の第１筐体の右側面図である。
【図４】図３の第１筐体の背面図である。
【図５】図１の同軸ケーブルハーネスの動作を説明する一部破断平面図である。
【図６】図５の一部破断右側面図である。
【図７】従来のフレキシブルプリント基板を用いた配線構造を示す側面図である。
【符号の説明】
【００３３】
１    携帯電話機（機器）
２    第１の筐体
３    第２の筐体
１０    同軸ケーブルハーネス
１１    同軸ケーブル
１２    一端部側成端処理部（一端部）
１３    他端部側成端処理部（他端部）
１４    中間部
【図１】
0005239281.tif 000002
【図２】
0005239281.tif 000003
【図３】
0005239281.tif 000004
【図４】
0005239281.tif 000005
【図５】
0005239281.tif 000006
【図６】
0005239281.tif 000007
【図７】
0005239281.tif 000008